(57)【要約】【課題】釣り用ウキにおいて、道糸を切断することなくウキを交換することが可能で、遠投性能や撒き餌との同調性能を阻害するスリットや突起部材を持たない略紡錘形状の釣り用ウキの提供。【解決手段】ウキ釣りに使用される略紡錘形状の釣り用ウキにおいて、略紡錘形状が軸方向に２分割され、分割面１６に釣り糸挿通溝が形成された一対の本体１５を、お互いの分割面１６が対面する格好で組み合わせることによって略紡錘形状となる釣り用ウキ。【選択図】図２
2016073254.tif 000002
【特許請求の範囲】
【請求項１】
釣り用ウキであって、
釣り糸を挟むようにして組みつけられる一対の本体と、
上記本体は、
上記本体同士を固定する固定手段と、
固定面に貫通形成された釣り糸挿通溝と、
からなる釣り用ウキ。
【請求項２】
上記本体は、釣り糸に組みつけられたとき略紡錘形状となる請求項１に記載の釣り用ウキ。
【請求項３】
上記固定手段は、上記固定面に弾性体によって突設された突出部材と、上記固定面に設けられた溝とを勘合させることによって組み合わせる請求項１及び請求項２に記載の釣り用ウキ。
【発明の詳細な説明】
【技術分野】
【０００１】
この発明は、魚釣りにおいて使用する釣り用ウキに関するものである。
【背景技術】
【０００２】
釣り用ウキは、「ウキ釣り」と呼ばれる釣りにおいて使用される道具である。図１に、一般的なウキ釣りの仕掛けを示す。釣り用ウキ４は、道糸１を中心軸に沿って設けられた挿通孔に挿通することによって仕掛けに取り付けられる。道糸１には「ウキ止め糸」と称される糸状ウキ止め部材２が巻着される。道糸１とハリス７の間には、「サルカン」と称される連結具６が結着される。ハリス７の先端には、釣り針８が結着される。
【０００３】
上記は一般的なウキ釣りの仕掛けである。道糸１とハリス７を直接結着する方法や、糸状ウキ止め部材２を釣り用ウキ４が乗り越えるのを防ぐため、「シモリ玉」と称される球形状ウキ止め部材３を取り付ける場合もある。また、連結具６と釣り用ウキ４の間にクッション部材５を取り付ける場合もある。
【０００４】
釣り用ウキ４はその用途によって特定の浮力を有しており、水面より上にウキの一部が出た状態で使用するのが一般的である。例外として、風の影響を避けるため、水中に沈めた状態で使用することもある。釣り用ウキ４には、魚が餌をくわえて仕掛けを引っ張った時、同時に水中に引き込まれることによって釣り人に魚が餌をくわえたことを伝えるセンサーの役目と、釣り餌を付けた釣り針８を一定の水深に漂わせる役目と、ウキを遠投することにより魚が多く生息する場所へ仕掛けを届ける役目と、釣り人が仕掛けを投げても届かない場所へ、水流に乗って仕掛けを届ける役目と、撒き餌を撒いた場合、水流に沿って流れる撒き餌と同調して流れ、集まった魚のもとへ仕掛けを届ける役目と、などがある。
【０００５】
釣り用ウキ４は、仕掛けの種類、仕掛け全体の重量、釣り餌を付けた釣り針８を漂わせる水深、水流の速度や方向、風の強さや方向などによって、ウキの浮力、大きさ、形状などを状況に合わせる必要がある。この状況は刻一刻と変化するため、釣り人はウキを頻繁に交換する必要がある。上記のとおり、釣り用ウキ４は、道糸１を中心軸に沿って設けられた挿通孔に挿通することによって仕掛けに取り付けられており、ウキを交換するには、道糸１を切断し、交換する釣り用ウキの挿通孔に挿通させ、結びなおす必要があるため、手間がかかる。
【先行技術文献】
【特許文献】
【０００６】
近年、上記の問題を解決するため、道糸を切断することなく交換可能な釣り用ウキが発明されている。
【特許文献１】特開平０９−９８３６号公報
【特許文献２】特開平１０−２８５０４号公報
【特許文献３】特開平１１−５６１８６号公報
【特許文献４】特開２００８−１２５４７３号公報
【特許文献５】特開２０１０−１７８６４３号公報
【０００７】
道糸を切断することなく交換可能な釣り用ウキは一般的に、略紡錘形状の本体と、パイプ状の勘合軸とからなり、上記本体は、略紡錘形状の軸方向に沿って形成された勘合孔と、上記勘合孔から外周面に向かって形成されたスリットを有し、上記勘合軸は、中心軸に沿って形成された釣り糸挿通孔を有す。このとき、本体勘合孔は、勘合軸外径に対応されている。例えば特許文献３の釣り用ウキがそれである。
【０００８】
上記道糸を切断することなく交換可能な釣り用ウキは、勘合軸の釣り糸挿通孔に道糸を挿通し、その後本体のスリットを通じて、本体の勘合孔に道糸を挿通し、本体と勘合軸を勘合させることによって道糸に組み付ける。
【発明の概要】
【発明が解決しようとする課題】
【０００９】
ところで一般的な釣り用ウキ、つまり道糸を切断してウキを交換する釣り用ウキの形状は、略球形状や略紡錘形状である場合が多い。上記のとおり、釣り用ウキの役目、例えばウキを遠投する場合、紡錘形状や球形状はその他の形状と比較して、体積に対して表面積が小さくなるため、風の抵抗は小さい。しかし、その形状に突起物やスリットが設けられている場合、風の抵抗が大きくなり、遠投性能が低くなる。また例えば撒き餌を撒いた場合、水流に沿って流れる撒き餌と同調して流れ、集まった魚のもとへ仕掛けを届ける役目があるが、略紡錘形状のような軸回転形状ではなく、その形状に突起物やスリットが設けられている場合、ウキが水流を受けることにより回転力が生まれ、流れる撒き餌と同調しない。
【００１０】
しかしながら以前の文献の釣り用ウキ、たとえば上記特許文献３の釣り用ウキは、割り溝２７と、短管３とが略紡錘形状に設けられた形状であり、一般的な略紡錘形状の釣り用ウキと比較して、遠投性能や、撒き餌との同調性能に劣っていた。加えてウキを遠投する際、誤って岩や堤防にウキを衝突させてしまう場合があり、短管３に応力が集中して破損する恐れがあった。
【００１１】
また、たとえば上記特許文献１の釣り用ウキは、道糸へ組み付けたとき、特許文献４の短管３のような突起部材はないものの、本体にスリット１５があるため、一般的な略紡錘形状の釣り用ウキと比較して、遠投性能や、撒き餌との同調性能に劣っていた。
【００１２】
本発明の目的は、釣り用ウキにおいて、道糸を切断することなくウキを交換することができ、遠投性能や撒き餌との同調性能を阻害するスリットや突起部材を持たない略紡錘形状のウキを提供することを目的とする。
【課題を解決するための手段】
【００１３】
上記課題を解決するため、本発明による釣り用ウキは、釣り糸をはさむようにして組みつけられる一対の本体と、上記本体は、上記本体同士を固定する固定手段と、固定面に貫通形成された釣り糸挿通溝と、を有する。
【００１４】
上記の手段を用いれば、本体を一対用意し、本体の一つを片手で保持し、本体に形成された釣り糸挿通溝に道糸を沿わせ、別の本体を組み合わせることによって、ウキを道糸に組み付けることができる。
【００１５】
さらに、上記本体は、釣り糸に組みつけられたときに略紡錘形状となることが望ましい。
【００１６】
上記のように、釣り糸に組みつけられたときにスリットや突起物のない略紡錘形状となれば、一般的な略紡錘形状の釣り用ウキと比較して、遠投性能や撒き餌との同調性能が劣ることはない。
【００１７】
さらに上記固定手段は、上記固定面に弾性体によって突設された突出部材と、上記固定面に設けられた溝同士を勘合させることによって組み合わせることが望ましい。
【００１８】
上記の手段を用いれば、本体同士を容易に組み合わせ、かつ取り外すことが可能となる。上記突出部材と、上記溝の間には勘合代を設定する。この勘合代は、人間の手の力で容易に組み合わせ、かつ取り外すことが可能であるように設定する。
【発明の効果】
【００１９】
本発明によれば、一対の本体を道糸に組み合わせることによって、略紡錘形状のウキを道糸に組み付けることができる。すなわち、釣り人が道糸を切断することなくウキを交換することができる。加えて、組み合わされた本体は、スリットや突起物を持たないため、一般的な略紡錘形状のウキが持つ遠投性能やまき餌との同調性能などを阻害することがない。
【図面の簡単な説明】
【００２０】
【図１】一般的なウキ釣り仕掛けの模式図である。
【図２】本実施形態が用いられた、ウキ釣り仕掛けの模式図である。
【図３】本発明の釣り用ウキの正面図である。
【図４】本発明の釣り用ウキの側面図である。
【図５】本発明の釣り用ウキの上面図である。
【図６】本体の正面図である。
【図７】本体の左側面図である。
【図８】本体の右側面図である。
【図９】本体の上面図である。
【図１０】本体の背面図である。
【図１１】本体のA−A断面図である。
【図１２】本体のB−B断面図である。
【図１３】本体のC−C断面図である。
【図１４】本体の組み付け方法を示した図である。
【発明を実施するための形態】
【００２１】
以下この発明である釣り用ウキの実施形態において、図面に基づいて詳細に説明する。後述するが、本実施形態の釣り用ウキは、全く同形状の本体１５aと１５bとを組み合わせて略紡錘形状のウキとなる（図２参照）。よって、本体の説明において、符号にaやbが記述されていない場合は、両者共通とする。
【００２２】
図２は、本発明の釣り用ウキの一実施形態が用いられた、一般的なウキ釣り仕掛けの模式図である。
【００２３】
このウキ釣り仕掛けは、道糸９と、道糸９に巻着された「ウキ止め糸」と称される糸状ウキ止め部材１０と、道糸９を挿通することによって取り付けられた「シモリ玉」と称される球形状ウキ止め部材１１と、道糸９を挿通することによって取り付けられた釣り用ウキ１２と、道糸９に取り付けられたクッション部材１３と、道糸８に結着された「サルカン」と称される連結具１４とを有する。
【００２４】
本発明の釣り用ウキ１２は通常、上記球形状ウキ止め部材１１と、上記クッション部材１３との間に取り付けられる。この実施形態の場合、略紡錘形状の釣り用ウキが軸方向に二分割された形状の本体１５を一対用意する。両者は、同形状のものである。一つの本体１５aの分割面１６aに道糸を沿わせ、上記本体１５aに、もう一つの本体１５bをスナップフィットなどで組み合わせることによって、道糸９に組み付ける。  
【００２５】
図６から図１０が示すように、本体１５は、略紡錘形状が軸方向に二分割された形状である。本実施形態では、この本体１５は、熱可塑性樹脂、好適には有色（蛍光の赤、黄、橙色など）のＡＢＳ、ポリプロピレン、ポリカーボネイト等により形成される。そのほか、金属、木材、ゴムなどの熱硬化性樹脂、カーボンなどの材料も採用され得る。
【００２６】
本体１５は、図１１が示すように、中空の器状に形成された部材を組み合わせて形成する。中空の器状の部材を組み合わせる理由は、本体１５の内部に空間を設けるためである。釣り用ウキは一般的に、海水面に浮かべて使用するため、海水より密度の低い材料（木材、発砲スチロールなど）が採用されることが多い。本実施形態では、本体１５の内部に空間を設けることによって、海水より密度の高い材料も採用され得る。このため、設計の自由度が高くなり、製造工程も簡易化され得る。
【００２７】
本体１５は、釣り糸挿通溝１７と、爪状突出部材１８、１９と、爪勘合溝２０、２１とを備えている。
【００２８】
釣り糸挿通溝１７は、本体１５の軸方向に沿って形成されており、本体１５aと本体１５bとが組み合わされた時、釣り糸挿通孔２２となるよう設計されている。道糸９（図２参照）は、この釣り糸挿通孔に挿通される。釣り糸挿通孔の内径寸法は、本実施形態では２．５ｍｍに設定されているので、釣り糸挿通溝のＲは、１．２５ｍｍに設定される。
【００２９】
釣り糸挿通溝１７の上端２３および下端２４には、面取り加工が施されている。上記のとおり、本発明の釣り用ウキは通常、本体１５aの釣り糸挿通溝１７aに道糸９を沿わせた状態で、本体１５bを組み合わせることによって道糸９に組み付ける。しかしながら、釣り人が道糸９を切断し、本体１５aと本体１５bとが組み合わされた釣り用ウキ１２の道糸挿通孔２２に、直接道糸９を挿通させることも想定される。このため、道糸９を挿通しやすくするため、面取り加工が施されている。もっとも、これらはR加工でも、いずれの加工も施されていなくてもよい。
【００３０】
図９が示すとおり、分割面１６には、爪状突出部材１８が一体的に形成されている。この爪状突出部材の断面はL字型をしており、本体１５の軸方向に沿って形成されている。さらにこの爪先端２５は、本体１５の軸に向かって形成されている。この爪状突出部材１８は、本体１５と同様に熱可塑性樹脂で形成されており、弾性変形が可能である。爪状突出部材１８は、後述する爪勘合溝２０に勘合し、本体１５aと１５bとが組み合わされる。
【００３１】
上記爪状突出部材１８は矢印２６（図１２）の方向に荷重を加えられて変形する。爪状突出部材１８は、その断面形状によって一定の断面二次モーメントが設定され得る。例えば、爪寸法Tもしくは爪寸法L１を調整することにより、爪状突出部材１８の断面二次モーメントの値を変化させることができる。換言すれば、爪寸法Tもしくは爪寸法L１を調節することにより、爪状突出部材１８が変形しやすくなったり、しにくくなったりする。
【００３２】
爪状突出部材１８と同様に、分割面１６には爪状突出部材１９が形成されており、その爪先端２７は本体１５の軸と反対方向に向かって形成されている。その他の形状や機能は、爪状突起部材１８と同様である。
【００３３】
図１０が示すとおり上記突出部１８は爪凸部２８を備えている。爪凸部２８は、爪状突出部材１８の爪先端２５に一体的に形成され、本体１５の軸に向かって突出しており、その幅は合せ線２９を中心として一定の幅に設定されている。爪凸部は、本体１５aと本体１５bとが組み合わされ、定位置、すなわち略紡錘形状となった状態で、後述する溝凹部３０に入り込み、且つガタつきの少ないように設定されている。つまり、爪凸部２８が溝凹部３０に入り込むことよって本体１５aと本体１５bとが位置合わせされ、釣り用ウキ１２が正確に組み立てられるようになっている。
【００３４】
爪凸部２８と同様に、爪状突出部材１９は爪凸部３１を備えており、本体１５の軸と反対方向に向かって突出している。その他の形状や機能は爪凸部２８と同様である。
【００３５】
爪状突出部材１８は、スリット３２を備えている。スリット３２は本体１５の軸方向に沿って同一断面で形成され、本体１５の外周面を突き抜けることなく、外周面は肉を残している。上述のとおり、爪状突出部材１８は、その断面形状によって断面二次モーメントの値を変化させ得るが、人の手でウキを容易に組み合わせ、且つ取り外すことができるように設定する必要があるため、断面形状が限定される。釣り用ウキは磯や堤防へ衝突することがあるため、衝突に耐え得る形状が求められるが、爪状突出部材１８のように、本体１５の外周面に肉をのこしつつ、内側にスリットを設けた形状にすれば、外周に面した部分の肉厚を厚く設定することができるため、爪状突出部材１８を衝撃から守りつつ、断面二次モーメントの値を自由に変化させることができる。
【００３６】
スリット３２と同様に、爪状突出部材１９はスリット３３を備えており、その他の形状や機能は、スリット３２と同様である。
【００３７】
分割面１６には、爪勘合溝２０が形成されている。この爪勘合溝２０は、本体１５の軸方向に沿って貫通形成されており、本体１５の軸側の面に爪掛り溝３４を有する。本体１５aと本体１５bとを組み付けるときは、上記爪状突出部材１８を、爪勘合溝２０に勘合させる。
【００３８】
爪勘合溝２０と同様に、分割面１６には、爪勘合溝２１が形成されており、本体１２の軸と反対側の面に爪掛り溝３５を有する。その他の形状や機能は爪勘合溝２０と同様である。
【００３９】
図１３が示すとおり、爪勘合溝２０は溝凹部３０を備えている。溝凹部３０は爪勘合溝２０の本体１５の軸側に形成され、合せ線２９を中心として、爪凸部２８の幅より大きく設定されている。上記のとおり、爪凸部２８に溝凹部３０入り込むことによって本体１５aと本体１５bとが位置合わせされる。
【００４０】
爪勘合溝２０と同様に、爪勘合溝２１は溝凹部３６を備えている。溝凹部３６は爪勘合溝２１の、本体１５の軸と反対側の面に形成されている。その他の形状や機能は溝凹部３０と同様である。
【００４１】
図１０が示すように、爪寸法L２は、爪状突出部材１８の爪背面３７から爪前面３８までの寸法である。図１３が示すように、溝寸法L３は、爪勘合溝２０の溝背面３９から溝前面４０までの寸法である。爪前面３８の範囲の爪状突出部材１８は、爪勘合溝２０に勘合することはない。すなわち、爪寸法L２と溝寸法L３とは、
爪寸法L２＜溝寸法L３
の関係を持ち、常に一定の隙間を有する。
【００４２】
図１０が示すように、爪寸法L４は、爪状突出部材１９の爪背面４１から爪前面４２までの寸法である。図１３が示すように、溝寸法L５は、爪勘合溝２１の溝背面４３から溝前面４４までの寸法である。両者も、爪寸法L２および溝寸法L３との関係同様、常に一定の間隙を有する。
【００４３】
図１０が示すように、爪凸部寸法L６は、爪状突出部材１８の爪背面３７から爪凸部面４５までの寸法である。図１３が示すように、溝凹部寸法L７は、爪勘合溝２０の溝背面３９から溝凹部面４６までの寸法である。爪凸部２８は、爪勘合溝２０に勘合する。すなわち、爪凸部寸法L６と溝凹部寸法L７と溝寸法L３とは、
爪凸部寸法L6＞溝凹部寸法L7＞溝寸法L3
の関係を持ち、常に一定の締め代を有する。
【００４４】
図１０が示すように、爪凸部寸法L8は、爪状突出部材１９の爪背面４１から爪凸部面４７までの寸法である。図１３が示すように、溝凹部寸法L9は、爪勘合溝２１の溝背面４３から溝凹部面４８までの距離である。爪凸部寸法L８、溝凹部寸法L9および溝寸法L5も、爪凸部寸法L6、溝凹部寸法L７および溝寸法L３との関係同様、常に一定の締め代を有する。
【００４５】
本発明の釣り用ウキは、実際の釣りにおいて、以下のように使用される。
【００４６】
釣り人は、以下の方法で道糸９を切断することなく、釣り用ウキ１２を組み付ける。釣り人は、本体１５aを片手で保持し、もう一方の手で道糸９を釣り糸挿通溝１７aに沿わせる。道糸９が釣り糸挿通溝１７aから外れないように、ウキ本体１５aを保持した手の親指などで道糸９を押さえながら、本体１５bをもう一方の手で保持する。図１４が示すように、本体１５aの分割面１６aと、本体１５bの分割面１６bが正対する格好で、本体１５bを矢印４９の方向に移動させ、勘合させる。すなわち、本体１５bの爪状突出部材１８bを本体１５aの爪勘合溝２０aに、本体１５bの爪状突出部材１９bを本体１５aの爪勘合溝２１aに挿入する。すると同時に、本体１５aの爪状突出部材１８aは本体１５bの爪勘合溝２０bに、本体１５aの爪状突出部材１９aは本体１５bの爪勘合溝２１bに挿入されることになる。このとき本体１５bは、本体１５aの上方から挿入されても、下方から挿入されてもよい。
【００４７】
このとき、爪状突出部材１８の爪寸法L２と爪勘合溝２０の溝寸法L３とは、
爪寸法L２＜溝寸法L３
の関係をもち、常に一定の隙間を有するから、爪状突出部材１８の爪凸部２８が、爪勘合溝２０の溝前面４０に接触するまでは、釣り人はなんら力を込めずに本体１５aと本体１５bとを組み合わせることができる。つまり、爪勘合溝２０が爪状突出部材１８のガイドとなる。爪状突出部材１９と爪勘合溝２１との関係も同様である。
【００４８】
爪状突出部材１８の爪凸部２８が爪勘合溝２０の溝前面４０に接触した後について、爪状突出部材１８の爪凸部寸法L６と、爪勘合溝１８の溝凹部寸法L７および溝寸法L３とは、
爪凸部寸法L６＞溝凹部寸法L７＞溝寸法L３
の関係を持ち、常に一定の締め代を有するから、釣り人は、爪状突出部材１８が変形するよりも強い力で本体１５aと本体１５bとを組み合わせることになる。このとき、爪勘合溝２０が爪状突出部材１８のガイドとなっているから、本体１５を押す力の方向が変わることはなく、釣り人は容易に本体１５を組み付けることができる。爪状突出部材１９と爪勘合溝２１との関係も同様である。
【００４９】
また、爪勘合溝２０の溝凹部寸法L７と溝寸法L３とは、
溝凹部寸法L７＞溝寸法L３
の関係を持つ。すなわち、段差がある。前述のように爪凸部２８は溝凹部３０に入るように設定されているから、本体１５aと本体１５bとが相対的に正確な位置となった時、釣り人はいわゆるクリック感を得ることができ、釣り用ウキ１２が正確に組みつけられる。爪凸部３１と溝凹部３６との関係も同様である。
【００５０】
釣り用ウキ１２が道糸９に組みつけられている状態から釣り人は、本体１５aを片手で保持し、固定した状態から本体１５bを押すことによって、道糸９を切断することなく、釣り用ウキ１２を取り外すことができる。
【産業上の利用可能性】
【００５１】
本発明は、ウキ釣りに使用される釣り用ウキに適用され得る。
【符号の説明】
【００５２】
１    道糸
２    糸状ウキ止め部材
３    球形状ウキ止め部材
４    釣り用ウキ
５    クッション部材
６    連結具
７    ハリス
８    釣り針
９    道糸
１０    糸状ウキ止め部材
１１    球形状ウキ止め部材
１２    釣り用ウキ
１３    クッション部材
１４    連結具
１５    本体
１６    分割面
１７    釣り糸挿通溝
１８    爪状突出部材
１９    爪状突出部材
２０    爪勘合溝
２１    爪勘合溝
２２    釣り糸挿通孔
２３    上端
２４    下端
２５    爪先端
２６    矢印
２７    爪先端
２８    爪凸部
２９    合せ線
３０    溝凹部
３１    爪凸部
３２    スリット
３３    スリット
３４    爪掛り溝
３５    爪掛り溝
３６    溝凹部
３７    爪背面
３８    爪前面
３９    溝背面
４０    溝前面
４１    爪背面
４２    爪前面
４３    溝背面
４４    溝前面
４５    爪凸部面
４６    溝凹部面
４７    爪凸部面
４８    溝凹部面
４９    矢印
【図１】
2016073254.tif 000003
【図２】
2016073254.tif 000004
【図３】
2016073254.tif 000005
【図４】
2016073254.tif 000006
【図５】
2016073254.tif 000007
【図６】
2016073254.tif 000008
【図７】
2016073254.tif 000009
【図８】
2016073254.tif 000010
【図９】
2016073254.tif 000011
【図１０】
2016073254.tif 000012
【図１１】
2016073254.tif 000013
【図１２】
2016073254.tif 000014
【図１３】
2016073254.tif 000015
【図１４】
2016073254.tif 000016